(57)【要約】      （修正有）【課題】溝内の床面仮設作業を容易且つ迅速に効率よく行える溝内床面仮設装置を提供する。【解決手段】溝内床面仮設装置は、溝の両側壁間に掛け渡される伸縮自在な突っ張り手段が前記両側壁間に突っ張り力で掛け渡された複数の前記突っ張り手段と、前記複数の突っ張り手段の上に架け渡される床面とを備えたことを特徴とする。又、前記突っ張り手段は、少なくとも２つの部材で構成され、突っ張り方向を軸として一方の部材の端部が他方の部材の端部に嵌合し、嵌合の度合で突っ張り手段の全長が伸縮される手段であることを特徴とし、前記嵌合は、一方の部材の端部を雄ねじ、他方の部材の端部を雌ねじとした螺合であることを特徴とする。【選択図】図２
0003148137.tif 000002
【実用新案登録請求の範囲】
【請求項１】
溝の両側壁間に掛け渡される伸縮自在な突っ張り手段が前記両側壁間に突っ張り力で掛け渡された複数の前記突っ張り手段と、前記複数の突っ張り手段の上に架け渡される床面とを備えたことを特徴とする溝内床面仮設装置。
【請求項２】
突っ張り手段は、少なくとも２つの部材で構成され、突っ張り方向を軸として一方の部材の端部が他方の部材の端部に嵌合し、嵌合の度合で突っ張り手段の全長が伸縮される手段であることを特徴とする請求項１に記載の溝内床面仮設装置。
【請求項３】
嵌合は、摺動自在な嵌合であることを特徴とする請求項１に記載の溝内床面仮設装置。
【請求項４】
嵌合は、一方の部材の端部を雄ねじ、他方の部材の端部を雌ねじとした螺合であることを特徴とする請求項１に記載の溝内床面仮設装置。
【請求項５】
突っ張り手段は、嵌合する部分に嵌合状態を維持する固定手段を有することを特徴とする請求項１乃至請求項４の何れかに記載の溝内床面仮設装置。
【請求項６】
固定手段は、嵌合状態において、突っ張り方向と直行する方向から外側の部材を螺合しつつ貫通して、貫通した先端が当接する内側の部材の外周面を圧接するボルトであることを特徴とする請求項５に記載の溝内床面仮設装置。
【請求項７】
突っ張り手段は、側壁に当接する側に前記側壁と面接触する当接面部を有することを特徴とする請求項１又は請求項２に記載の溝内床面仮設装置。
【請求項８】
当接面部は、側壁と面接触する面が前記側壁の面との摩擦抵抗を高める凹凸面であることを特徴とする請求項７に記載の溝内床面仮設装置。
【請求項９】
床面は、側壁間に突っ張り力で掛け渡された少なくとも２つの突っ張り手段に掛け渡される板状部材であることを特徴とする請求項１乃至請求項８の何れかに記載の溝内床面仮設装置。
【請求項１０】
板状部材は、溝内に落とし込み可能で溝幅に相応する幅であることを特徴とする請求項９に記載の溝内床面仮設装置。
【請求項１１】
複数の部材を嵌合して構成される突っ張り手段は、当該複数の部材の上に載せられる床面との間の間隙による床面の傾きを解消するスペーサ部を有することを特徴とする請求項２乃至請求項１０の何れかに記載の溝内床面仮設装置。
【考案の詳細な説明】
【技術分野】
【０００１】
本発明は、道路の側溝等、溝の内部に、溝の底面から所望の高さ位置に仮の床面を設置する溝内床面仮設装置に関する。
【背景技術】
【０００２】
既設の溝(以下、既設溝ともいう)、例えば、道路の側溝等においては、路肩に当たる溝の側壁上縁部(以下、上縁部ともいう)側は損傷を受け易く、これが破損すると、溝の蓋板(コンクリート板や金属製板或いは金属製網板等)の収まりが悪くなって、蓋板が一層ガタついて損傷が急速に拡大したり、騒音を発したりするため、破損具合に応じて、溝の一方又は両側壁の上縁部側を除去したり、除去した当該部分の側壁を新たに構築するという改修工事が適宜行われる。
【０００３】
又、近時においては、側溝を挟んで路面と続く地面との段差を無くす所謂バリヤーフリーの観点から、既設溝の上縁部を切断して除去し、溝の側壁の高さを低くしたり、
低くしてから改めて側溝の蓋板を被せるという改修工事が急増している。
【０００４】
他方、このような従来の工法では、比較的幅が狭くて作業空間が小さい溝の中での、作業となる上、溝の流水を止めたり、流水の迂回路を設ける等の付帯工事が必要となり、多大な作業日時と手間とを要し、工事の作業効率の向上を望むことができなかった。
【０００５】
本考案は、上記課題を解消し、流水を止めたり迂回路を設ける等の付帯工事を無用とするため、溝内に仮設する仮設床面の仮設作業を容易且つ迅速に効率よく行える溝内床面仮設装置の提供を目的とする。
【考案の開示】
【課題を解決するための手段】
【０００６】
請求項１の溝内床面仮設装置の考案は、溝の両側壁間に掛け渡される伸縮自在な突っ張り手段が前記両側壁間に突っ張り力で掛け渡された複数の前記突っ張り手段と、前記複数の突っ張り手段の上に架け渡される床面とを備えたことを特徴とする。
【０００７】
請求項２の考案は、請求項１に記載の溝内床面仮設装置の考案において、突っ張り手段は、少なくとも２つの部材で構成され、突っ張り方向を軸として一方の部材の端部が他方の部材の端部に嵌合し、嵌合の度合で突っ張り手段の全長が伸縮される手段であることを特徴とする。
【０００８】
請求項３の考案は、請求項１に記載の溝内床面仮設装置において、嵌合は摺動自在な嵌合であることを特徴とする。
【０００９】
請求項４の考案は、請求項１に記載の溝内床面仮設装置において、嵌合は、一方の部材の端部を雄ねじ、他方の部材の端部を雌ねじとした螺合であることを特徴とする。
【００１０】
請求項５の考案は、請求項１乃至請求項４の何れかに記載の溝内床面仮設装置において、突っ張り手段は、嵌合する部分に嵌合状態を維持する固定手段を有することを特徴とする。
【００１１】
請求項６の考案は、請求項５に記載の溝内床面仮設装置において、固定手段は、嵌合状態において、突っ張り方向と直行する方向から外側の部材を螺合しつつ貫通して、貫通した先端が当接する内側の部材の外周面を圧接するボルトであることを特徴とする。
【００１２】
請求項７の考案は、請求項１又は請求項２に記載の溝内床面仮設装置において、突っ張り手段は、側壁に当接する側に前記側壁と面接触する当接面部を有することを特徴とする。
【００１３】
請求項８の考案は、請求項７に記載の溝内床面仮設装置において、当接面部は、側壁と面接触する面が前記側壁の面との摩擦抵抗を高める凹凸面であることを特徴とする。
【００１４】
請求項９の考案は、請求項１乃至請求項８の何れかに記載の溝内床面仮設装置において、床面は、側壁間に突っ張り力で掛け渡された少なくとも２つの突っ張り手段に掛け渡される板状部材であることを特徴とする。
【００１５】
請求項１０の考案は、請求項９に記載の溝内床面仮設装置において、板状部材は、溝内に落とし込み可能で溝幅に相応する幅であることを特徴とする。
【００１６】
請求項１１の考案は、請求項２乃至請求項１０の何れかに記載の溝内床面仮設装置において、複数の部材を嵌合して構成される突っ張り手段は、当該複数の部材の上に載せられる床面との間の間隙による床面の傾きを解消するスペーサ部を有することを特徴とする。
【考案の効果】
【００１７】
請求項１乃至請求項１１の溝内床面仮設装置の考案によれば、何れも、溝内に、溝底から任意の高さ位置で、仮設床面を容易且つ迅速に効率よく仮設することができる。
又、溝底が平でなく、凹凸があっても、溝底の構造や環境に影響される事無く、
溝内に容易に仮設床面を仮設することができる。
又、伸縮自在な突っ張り手段を用いるので、溝幅の寸法が多少異なる溝に対しても、比較的自在に対応させることができる。
更に又、流水を止めたり迂回路を設ける等の付帯工事が無用となる。
【００１８】
請求項５又は請求項６の溝内床面仮設装置の考案によれば、何れも、固定手段により突っ張り手段の突っ張り力を確保し、突っ張り手段の脱落阻止効果を高める事ができる。
【００１９】
請求項７又は請求項８の溝内床面仮設装置の考案によれば、何れも、当接面により、突っ張り手段の両端と対応する両側壁との摩擦抵抗を高めることができるので、より一層、固定手段による突っ張り手段の突っ張り力を確保することができると共に、突っ張り手段の脱落阻止効果を高めることができる。
【００２０】
請求項９又は請求項１０の溝内床面仮設装置の考案によれば、何れも、板状部材を複数の突っ張り手段に載せるだけで、平らな仮設床面を仮設することができる。
【００２１】
請求項１１の溝内床面仮設装置の考案によれば、間隙を埋めるスペーサ部材により、より一層平らな仮設床面を仮設することができる。
【考案を実施するための最良の形態】
【００２２】
本考案の最良の実施の形態を示す道路側溝用の溝内床面仮設装置を図面に基づいて以下説明する。
【実施例１】
【００２３】
実施例１の溝内床面仮設装置を示す図１は架設された状態を示す斜視説明図、図２は図1の横断面図である。
【００２４】
図1及び図２において、図中の符号１は溝（側溝）であり、１１は溝１の底面即ち溝底、１２，１２は溝１の側面即ち側壁、側面、１３は溝の上面即ち上部開放側である。
溝内床面仮設装置（以下、単に仮設装置ともいう）１０は、溝１の上部開放側１３を塞ぐよう、当該上部開放側１３から溝１内に落とし込むようにして嵌め込まれる仮説床面の本体を成す板状の床面２０と、この床面２０を溝底１１から所望の高さ位置に支えるように機能する複数の突っ張り手段３０とを備えたものである。
【００２５】
尚、板状の床面２０の長さは取り扱い可能な適宜の長さであればよい。図示の床面２０の長さは図示上の都合での長さである。又、床面２０の材質は金属製や樹脂製の何れでもよく、その他の材質のものであっても良く、限定されない。
【００２６】
図示の突っ張り手段３０は、溝１の両側壁１２，１２間に掛け渡される伸縮自在な手段であり、両側壁１２，１２間に突っ張り力で掛け渡された複数の突っ張り手段３０，３０の上に床面２０が架け渡される。
【００２７】
実施例の突っ張り手段３０は、突っ張り方向を軸として延在する２つの部材３１，３２で構成されており、一方の相対的に小径の部材３１の端部が他方の相対的に大径の部材３２の端部に嵌合し、この嵌合の深さ、即ち、嵌合部における部材３１と部材３２との重なり長さの長短の度合に応じて、突っ張り手段３０の全長が伸縮自在となっている。
【００２８】
嵌合は、軸方向に伸縮する摺動自在な単なる嵌合（図示せず）であってもよいが、実施例の嵌合は、一方の部材３１の端部の外周面に雄ねじを形成し、他方の部材３２の端部の内周面に雌ねじを形成して、互いをねじ合わせた螺合による嵌合としてある。
単なる嵌合よりも螺合による嵌合の方が突っ張り力をより確実に維持できるからである。
【００２９】
この突っ張り手段３０の嵌合する部分(以下、嵌合部分ともいう)には、両側壁12，12間に十分に突っ張り架設させた嵌合状態を維持させるための固定手段３３が設けてある。
【００３０】
実施例の固定手段３３としてはボルトを用いており、嵌合状態において、突っ張り方向と直行する方向から外側の部材即ち図においては部材３２に穿ち設けた雌ネジ穴（図示せず）にボルト３３をねじ込んで螺合させつつ、当該部材３２を貫通させて、当該ボルト３３の貫通させた先端を、内側の部材即ち図においては部材３１の外周面に当接させて圧接させる構造としてある。
【００３１】
このような固定手段(ボルト)３３を嵌合部分に設けることにより、突っ張り手段３０の突っ張り力を所要の強さで確保することができると共に、突っ張り手段３０が側壁１２，12間から外れての脱落阻止効果を高めることができる。
尚、突っ張り手段３０の突っ張り力を解くには前記ボルト３３を緩めればよい。
【００３２】
更に、実施例の突っ張り手段３０は、更に一層、突っ張り力の確保と突っ張り手段３０の脱落を阻止効果を高めるために、側壁１２に当接する側に側壁１２の壁面と面接触する当接面部３4を設けてある。
【００３３】
実施例の当接面部３4は平板状部材で形成されており、側壁１２と面接触する前記平板状部材の面は、側壁１２の面との摩擦抵抗を高める凹凸面（図示せず）としてある。
当接面部３4は、勿論、このような実施例に示す形状や構造には限定されず、要は、
突っ張り手段３０の脱落阻止効果が高められる形状や構造であればよい。
【００３４】
床面２０は、図示の例では、側壁１２，１２間に突っ張り力で掛け渡された２つの突っ張り手段３０，３０に掛け渡されているが、一枚の適当長さの板状部材即ち床面２０に対し３つ以上の突っ張り手段３０を用いてもよい。板状部材２０の長さや自重や突っ張り手段３０の壁面１２との摩擦抵抗力の強弱にもよるが、一枚の板状部材（床面）２０に対して用いる突っ張り部材３０の数は多いい程よい。
【００３５】
更に実施例の板状部材２０は、溝１内に水平状態で落とし込み可能な幅で、溝１の幅に相応する幅とするのがよい。
このような形状の板状部材２０を用いると、溝１内が、落とし蓋のように塞がれることとなるため、溝底１１に工事の際の諸物、例えば、破壊されて除去されるべき破砕塊や粉、或いは工具等が溝底１１に落下するのを防ぐことができるとともに、工事終了後の床面(板状部材)２０上の清掃を容易に行うことができる。
【００３６】
床面即ち板状部材２０は、上記のように、複数の突っ張り手段３０，３０の上に掛け渡されるようにして載せられるが、この実施例では、図２に示すように、当該床面２０突っ張り部材３０の小径の部材３１との間に生ずる間隙４１によって、当該床面２０に請ずる突っ張り方向(溝の幅方向)の傾きを解消するため、当該間隙４１を補うスペーサ部４０を小径の部材３１に設けてある。
【００３７】
これは即ち、突っ張り部材３０を構成する２部材の径の相違による段差（大径の部材３２と小径の部材３１との間に生ずる段差&shy;＝前記間隙４１）の解消でもある。
【産業上の利用可能性】
【００３８】
本考案は、道路の側溝に限らず、その他の溝の改修工事においても広くて活用することができる。
【図面の簡単な説明】
【００３９】
【図１】図１は架設された状態を示す斜視説明図である。
【図２】図1の横断面図である。
【符号の説明】
【００４０】
１  溝
１１  溝底（溝の底面）
１２  側壁（溝の側面）
１０  仮設床面(溝内床面仮設装置)
２０  床面(板状部材)
３０  突っ張り手段
３１  部材(突っ張り手段)
３２  部材(突っ張り手段)
３３  ボルト(突っ張り手段)
３４  当接面部(突っ張り手段)
４０  スペーサ部
４１  間隙
【図１】
0003148137.tif 000003
【図２】
0003148137.tif 000004